【手続補正書】
【提出日】平成20年9月8日(2008.9.8)
【手続補正１】
【補正対象書類名】明細書
【補正対象項目名】特許請求の範囲
【補正方法】変更
【補正の内容】
【特許請求の範囲】
【請求項１】  店頭の秤りシステムによって印刷されるラベルに、異なるメッセージを選択して印刷する方法であって、
（a）ラベル印刷の機構を含む店頭秤りシステムに、ラベル供給部及び店外のサイトからの情報を受信するための通信リンクを設ける段階と、
（b）秤りシステムのラベル印刷機構を第一の状態に設定する段階と、
（c）上記の第一の状態にある間に、その秤りシステムのラベル印刷機構によるラベル出力の各々につき、
（i）そのラベルが貼付される商品の、商品名及び価格情報の少なくとも一つと、
（ii）そのラベルが貼付される商品とは別の既定の商品に関する第一のメッセージと、
の両方を同時に印刷する段階と、
（d）秤りシステムのラベル印刷機構を第二の状態に設定するメッセージ制御信号を、秤りシステムにおいて、通信リンクを介して受信する段階と、
（e）上記の第二の状態にある間に、その秤りシステムのラベル印刷機構によるラベル出力の各々につき、
（i）そのラベルが貼付される商品の商品名及び価格情報の少なくとも一つと、
（ii）そのラベルが貼付される商品とは別の既定の商品に関するメッセージで、かつ第一のメッセージとは異なる第二のメッセージと、
の両方を同時に印刷する段階と、
を含む方法。
【請求項２】  段階（a）が、既定の商品の予め印刷された名称及び意匠要素の少なくとも一つを各々のラベルに提供することを含む、請求項１に記載の方法。
【請求項３】  段階（a）が、各々のラベルに予め印刷された走査可能なクーポン用バーコードを提供することを含み、段階（c）（ii）及び段階（e）（ii）において、第一及び第二のメッセージの各々が、規定の商品のためのそれぞれのクーポン割引を含む、請求項１に記載の方法。
【請求項４】  包装体に貼付されるラベル上にクーポン情報を印刷するのに適合した店頭ラベル印刷装置であって、
印刷ヘッドと、各々が裏面にクーポン用バーコードを有するラベルに証印が印刷されるように前記印刷ヘッドを通してラベル経路上を動くことができるラベルの供給源と、印刷ヘッド制御が実行できるように接続された制御装置と、各々にメッセージ標識が組合わされているメッセージ選択肢の一覧表を格納したメモリと、を含む店頭秤りシステム、及び、
店外のサイトからの情報を受信するための、秤りシステムの制御装置に関連付けられた通信リンク、
を備えており、
第一の秤りシステム設定においては、制御装置が、（i）ラベルが貼付される商品の商品情報と、（ii）メモリに格納されている選択されたメッセージ標識に対応しており、ラベルが貼付される商品とは異なる商品に関連する第一のクーポン用メッセージ、の両方の同時印刷を実行するよう働き、
メモリに格納されている選択されたメッセージ標識が通信リンクを介して受信されたメッセージ制御信号に従って修正され、秤りシステムを第二の設定に置き、
第二の秤りシステム設定においては、制御装置が、（i）ラベルが貼付される商品の商品情報と、（ii）メモリに格納されている修正後の選択されたメッセージ標識に対応しており、ラベルが貼付される商品とは異なる商品に関連する第二のクーポン用メッセージ、の両方の同時印刷を実行するよう働く、ラベル印刷装置。
【請求項５】  商品の製造者／販売者による、店頭印刷機構を用いた店頭広告のための方法であって、
（a）商品の製造者／販売者からの情報を遠隔的に受信するための通信リンクを含む店頭ラベル印刷機構を備える段階と、
（b）予め定められたメッセージ選択肢の一覧表を、各々のメッセージ選択肢に特定のメッセージ標識を付けて店頭ラベル印刷機構のメモリに提供する段階と、
（c）走査可能なクーポン用バーコードが各々の裏面に予め印刷されたラベルを供給する段階と、
（d）店頭ラベル印刷機構を用い、選択されたメッセージ標識に従って、少なくともクーポン割引額とクーポンの有効性に関する情報を含むメッセージをラベルの表面に印刷する段階と、
（e）商品の製造者／販売者から通信リンクを介して店頭ラベル印刷機構に、新たに選択されたメッセージ標識を同定し、予め定められたメッセージ選択肢のいずれが店頭ラベル印刷機構によってラベルに印刷されるかを商品の製造者／販売者が、選択的に制御できるようにする少なくとも一つのメッセージ制御信号を送信する段階と、
（f）印刷済みラベルを商品の包装体に貼付する段階と、
を含む方法。
【請求項６】  店頭のラベルクーポン印刷システムを制御するための方法であって、
（a）制御装置とそれに関連するメモリ、及びユーザ入力装置を含む店頭ラベル印刷機構を備える段階と、
（b）前記店頭印刷機構に、各々の裏面にクーポン用バーコードが予め印刷されたラベル供給部を備える段階と、
（c）前記店頭印刷機構によりラベル表面に印刷されるクーポン用メッセージを確定するため、ユーザ入力装置を選択的に使用する段階と、
（d）クーポン用バーコードに関連する格納された割引額を、店頭販売時点情報管理システムのメモリと店舗コンピュータシステムのメモリの少なくとも一つに供給する段階と、
（e）格納された割引額を店頭のラベル印刷機構によりクーポン用メッセージ上に行われた変更に合致するように調正する段階と、
を含む方法。
【請求項７】  店頭の秤りシステムにより印刷されるラベルに異なるメッセージを選択的に印刷するための方法であって、
（a）ラベル印刷機構を含む店頭の秤りシステムにラベルの供給及び店外のサイトからの情報を受信するための通信リンクを備える段階と、
（b）店頭の秤りシステムの印刷機構が第一の状態にある間に、第一のラベルに、
（i）該第一のラベルが貼付されることになる特定の商品についての商品名及び価格情報の少なくとも一つと、
（ii）前記第一のラベルが貼付される商品とは別の商品に関する第一のメッセージ、
の両方を同時に印刷する段階と、
（c）店頭の秤りシステムにおいて、秤りシステムの印刷機構を第二の状態に設定するメッセージ制御信号を通信リンクを介して受信する段階と、
（d）第二の状態にある間に、第二のラベルに、
（i）第二のラベルが貼付されることになる商品についての商品名及び価格情報の少なくとも一つと、
（ii）第一のメッセージとは異なり、かつ第二のラベルが貼付されることになる特定の商品とは別の商品に関する第二のメッセージ、
の両方を同時に印刷する段階と、
を含む方法。
【請求項８】  店頭の印刷機構により出力されるラベルに異なるメッセージを選択的に印刷するための方法であって、
（a）店頭のラベル印刷機構にラベル供給部及び店外のサイトからの情報を受信するための通信リンクを備える段階と、
（b）第一のラベルに、
（i）第一のラベルが貼付されることになる商品についての商品名及び価格情報の少なくとも一つと、
（ii）第一のラベルが貼付されることになる商品とは別の商品に関する第一のメッセージ、
の両方を同時に印刷する段階と、
（c）店頭のラベル印刷機構において、メッセージ制御信号を通信リンクを介して受信する段階と、
（d）第二のラベルに、
（i）第二のラベルが貼付されることになる商品についての商品名及び価格情報の少なくとも一つと、
（ii）第一のメッセージとは異なる、段階（c）のメッセージ制御信号により確定されたメッセージで、かつ第二のラベルが貼付されることになる商品とは別の商品に関する、第二のメッセージ、
の両方を同時に印刷する段階と、
を含む方法。
【請求項９】  店頭の印刷機構により出力されるラベルにメッセージを選択的に印刷するための方法であって、
（a）店頭のラベル印刷機構にラベル供給部及び店外のサイトからの情報を受信するための通信リンクを備える段階と、
（b）店頭のラベル印刷機構において、メッセージ制御信号を通信リンクを介して受信する段階と、
（c）段階（b）に続き、ラベルに、
（i）第一のラベルが貼付されることになる商品について商品名及び価格情報の少なくとも一つと、
（ii）段階（b）で受信されたメッセージ制御信号と合致するメッセージで、第一のラベルが貼付されることになる商品とは別の既定の商品に関するメッセージ、
の両方を同時に印刷する段階と、
を含む方法。
【請求項１０】  ラベルを貼付した包装体アセンブリーであって、
包装体と、
接着によって前記包装体に取り付けられるラベルと、を含み、前記ラベルが、走査可能な商品情報バーコードを付けられた外向きの表面と、前記包装体の外側表面に内向きに面した裏面とを、含み、前記ラベルがその裏面に走査可能なクーポン情報バーコード部分を持ち、
前記走査可能な商品情報バーコードは、前記走査可能なクーポン情報バーコードから離れてはいるが近接した位置に置かれ、
走査可能なクーポン情報バーコードを含むラベルの前記裏面がラベルに引かれた少なくとも一本の分離線によって定められ、走査可能な商品情報バーコードを包装体に残すような形で包装体から取り外すことが可能である、
ラベルを貼付した包装体アセンブリー。